(57)【特許請求の範囲】
【請求項１】
シートを撮像して得られた画像データを基にした前記シートの検査データを記憶する記憶手段と、
操作者の入力により前記シートの下巻き、上巻き、反転上巻き、反転下巻きの区分を画面上で指定する巻き状態指定手段と、
前記記憶手段に記憶された前記検査データを読み出して、これに含まれる前記シートの検査時における欠陥の前記シート上の位置情報を、前記巻き状態指定手段で指定された種類に対応した位置情報に変換する変換手段とを備えることを特徴とする検査データ加工装置。
【請求項２】
前記画像データは、前記シートが押出機で連続成形されて巻き取られる工程で撮像して得られた画像データを有することを特徴とする請求項１に記載の検査データ加工装置。
【請求項３】
シートを撮像して得られた画像データを基にした前記シートの検査データを記憶する記憶ステップと、
操作者の入力により前記シートの下巻き、上巻き、反転上巻き、反転下巻きの区分を画面上で指定する巻き状態指定ステップと、
前記記憶ステップで記憶された前記検査データを読み出して、これに含まれる前記シートの検査時における欠陥の前記シート上の位置情報を、前記巻き状態指定ステップで指定された種類に対応した位置情報に変換する変換ステップとを備えることを特徴とする検査データ加工方法。
【請求項４】
前記画像データは、前記シートが押出機で連続成形されて巻き取られる工程で撮像して得られた画像データを有することを特徴とする請求項３に記載の検査データ加工方法。
【請求項５】
請求項３または４に記載のステップをコンピュータに実行させる検査データ加工プログラム。
【請求項６】
請求項５に記載の検査データ加工プログラムを記憶したコンピュータ読み取り可能な記憶媒体。
【発明の詳細な説明】
【技術分野】
【０００１】
本発明は、検査データ加工装置、検査データ加工方法、検査データ加工プログラム及び検査データ加工プログラムを記憶したコンピュータ読み取り可能な記憶媒体に関し、特に、シートの検査データの加工に関する。
【背景技術】
【０００２】
例えばフィルムのようなシートは、その製造工程中にシート上に欠陥（汚れ、異物、ピンホール等）が生じることがある。かかる欠陥はシートの品質、品位、性能等を低下させる原因となるので、従来より、CCDカメラ等でシートを撮像して得た画像データを基にして、欠陥の発見、識別等をしている（例えば特許文献１参照）。
【特許文献１】特開２００４−１０９０６９号公報
【発明の開示】
【発明が解決しようとする課題】
【０００３】
本発明の目的は、シートの検査装置から得られた検査データをより利便性の高いものに加工することができる検査データ加工装置、検査データ加工方法、検査データ加工プログラム及び検査データ加工プログラムを記憶したコンピュータ読み取り可能な記憶媒体を提供することである。
【課題を解決するための手段】
【０００８】
本発明に係る検査データ加工装置の一態様は、シートを撮像して得られた画像データを基にした前記シートの検査データを記憶する記憶手段と、操作者の入力により前記シートの下巻き、上巻き、反転上巻き、反転下巻きの区分を画面上で指定する巻き状態指定手段と、前記記憶手段に記憶された前記検査データを読み出して、これに含まれる前記シートの検査時における欠陥の前記シート上の位置情報を、前記巻き状態指定手段で指定された種類に対応した位置情報に変換する変換手段と、を備えることを特徴とする。本発明に係る検査データ加工装置の他の態様は、前記画像データは、前記シートが押出機で連続成形されて巻き取られる工程で撮像して得られた画像データを有することを特徴とする。
【０００９】
本発明に係る検査データ加工方法の一態様は、シートを撮像して得られた画像データを基にした前記シートの検査データを記憶する記憶ステップと、操作者の入力により前記シートの下巻き、上巻き、反転上巻き、反転下巻きの区分を画面上で指定する巻き状態指定ステップと、前記記憶ステップで記憶された前記検査データを読み出して、これに含まれる前記シートの検査時における欠陥の前記シート上の位置情報を、前記巻き状態指定ステップで指定された種類に対応した位置情報に変換する変換ステップと、を備えることを特徴とする。本発明に係る検査データ加工方法の他の態様は、前記画像データは、前記シートが押出機で連続成形されて巻き取られる工程で撮像して得られた画像データを有することを特徴とする。
【００１０】
本発明に係る検査データ加工プログラムの他の態様は、上記ステップをコンピュータに実行させるものである。
【００１１】
本発明に係るコンピュータ読み取り可能な記憶媒体の他の態様は、上記検査データ加工プログラムを記憶したものである。
【発明の効果】
【００１２】
本発明の一態様によれば、操作者の入力によりシート上の任意の領域を画面上で指定し、検査データの中からこの指定された領域の検査データを抽出している。したがって、検査データをより利便性の高いものに加工することができる。
【００１３】
本発明の他の態様によれば、操作者の入力によりシートが巻かれた状態の種類を画面上で指定し、シートの検査時における欠陥のシート上の位置情報を、上記指定された種類に対応した位置情報に変換している。これにより、検査データをより利便性の高いものに加工することができる。
【発明を実施するための最良の形態】
【００１４】
本発明の実施形態について図面を用いて説明する。本実施形態ではシートがプラスチックフィルムの場合で説明するが、シートとしては、他に、例えば、鋼板、アルミニウム板、銅板等の金属板や紙シートが挙げられる。また、シートの形状はロール状でもよいし、平面状（枚葉）でもよい。図１は、本実施形態に係るプラスチックフィルム検査及び検査データの加工についての概略を示す図である。
【００１５】
押出機１で連続成形されたプラスチックフィルム（以下、フィルムと記載）３はローラ５でガイドされ、巻取機７で巻き取られてロールにされる。フィルム３が所定の長さだけ巻かれたら、フィルム３を幅方向に切断して一つのロールが完成し、引き続き、新たなロールの作製が開始される。このラインの所定箇所には、フィルム検査装置９に接続されたCCDカメラ１１と光源１３が配置されている。
【００１６】
CCDカメラ１１は四つあり、これらはフィルム３の上方であってフィルム３の幅方向にリニアに配置されている。CCDカメラ１１が一つでは、フィルム３の幅方向の全部をカバーできない。そこで、四つのCCDカメラ１１を設置し、各CCDカメラ１１にフィルム３の幅方向の一部を分担させて、フィルム３の幅方向の全部をカバーしている。
【００１７】
光源１３はCCDカメラ１１と対向して、フィルム３の下方に配置されている。光源１３は透過照明として機能する。光源１３からの光をフィルム３に照射しながら、CCDカメラ１１でフィルム３を撮像する。この画像データはフィルム検査装置９へ送られる。フィルム検査装置９は、画像データを基にしてフィルム３の検査データを生成する。
【００１８】
フィルム検査装置９には検査データ加工装置１５が接続されており、検査データは検査データ加工装置１５へ送られて、そこでより利便性の高いものに加工される。
【００１９】
ところで、巻取機７で巻き取られたフィルムは、お客の要請に応じてさらに処理される。例えば、スリット処理で説明すると、ロールにされたフィルムを巻き出しながら、フィルムの長さ方向に沿ってフィルムを切断して分割し、分割された各フィルムをそれぞれ巻き取ってロールにする。これによりお客に所望の幅のフィルムを提供するのである。
【００２０】
図１に示す押出機１から巻取機７までのラインでスリット処理しないのは、主に次の（１）〜（３）の理由からである。（１）定テンションで反端がそろうように巻かれたロールをお客に提供するためである。このためには多数のローラや巻き取りを止めた状態が必要であるが、押出機からはフィルムが連続成形されており、フィルムの巻き取りを止めることができない。（２）フィルムがだれるのを防止するためである。押出機から出た直後のフィルムを定テンションで反端がそろうように巻き取ると、フィルムの巻き締まり等が原因でフィルムがだれる。これを防止するために、押出機から出たフィルムについては、巻きズレを無視して大雑把に巻いてロールにし、これをエージングした後、スリット処理の際に定テンションで反端がそろうように巻くのである。（３）フィルムの幅はお客に応じて異なるため、大きめの幅のフィルムを作製し、お客の要請に応じてフィルムをスリット処理する方が効率的である。
【００２１】
フィルムの処理としてスリット処理を説明したが、他に例えば、フィルム上に新たな層を形成して多層フィルムを形成する処理がある。
【００２２】
検査データは処理前のフィルムに関するものなので、それをそのまま処理後のフィルムに適用すると、処理後のフィルムについては、フィルム上の欠陥の位置や分布を容易に把握できないことになる。そこで、本実施形態では、検査データ加工装置１５を用いて検査データをより利便性の高いものに加工して、処理後のフィルムについても、フィルム上の欠陥の位置や分布を容易に把握できるようにしている。
【００２３】
検査データの加工について詳細に説明する。図２は、このフローチャートである。まず、検査データを読み込む（ステップＳ１）。検査データは、品番、ロットNo、検査開始・終了時刻、フィルム幅、フィルム長、オリジナル欠陥情報等を含み、各ロールについて作成される。
【００２４】
オリジナル欠陥情報とは、処理前のフィルム、つまり図１の巻取機７で巻き取られたフィルムについての欠陥に関する情報である。具体的には、発見された各欠陥について、発見時刻（例えば２００５年２月４日１５時４分）、大きさ（例えば大・中・小・極小のいずれかに分類）、フィルム上の位置（例えばフィルム長さ方向の位置１２５．８ｍ、フィルム幅方向の位置４１．３ｍｍ）等により構成される。
【００２５】
次に、検査データのうちオリジナル欠陥情報を配列Ａに格納する（ステップＳ３）。そして、表示用欠陥情報を配列Ｂに格納する（ステップＳ５）。表示用欠陥情報とは、後述する欠陥マップや欠陥ヒストグラムを画面に表示するために用いるものである。検査データを読み込んだ直後である初期状態では、オリジナル欠陥情報がそのまま表示用欠陥情報として配列Ｂに格納される。
【００２６】
そして、図１の検査データ加工装置１５のディスプレイに、検査データを編集したものである欠陥マップや欠陥ヒストグラムを含む画面が表示される（ステップＳ７）。図３は、この画面１７の一例を示す図である。欠陥マップ１９は、欠陥のフィルム上の位置を示している。縦軸がフィルム長さ方向（ｍ）、横軸がフィルム幅方向（ｍｍ）である。欠陥の大きさは、大、中、小、極小に分類されている。欠陥ヒストグラム２１は、フィルム上の欠陥の分布を示しており、フィルム幅方向のものと、フィルム長さ方向のものとで構成される。
【００２７】
ここでの欠陥はフィッシュアイと称されるものであるが、これ以外の欠陥（例えば虫、ピンホール）について表示することも当然可能である。フィッシュアイは、高分子フィルムの場合、これの作製時に添加剤が溶剤にうまく溶けなかったり、気泡や水分が混入したりすること等が原因で発生する欠陥である。
【００２８】
画面上のタブ２３、ボタン２５及びチェックボックス２７は、検査データ加工（１）で利用され（ステップＳ９）、アイコン２９は検査データ加工（２）で利用される（ステップＳ１１）。次に、検査データ加工（１），（２）について説明する。
【００２９】
検査データ加工（１）は、いわゆるトリミングであり、フィルム上の任意の領域の欠陥について、欠陥マップや欠陥ヒストグラムを生成する。これについて図３〜図６を用いて説明する。図４は、検査データ加工（１）のフローチャートである。図５は検査データ加工（１）の実行中の画面１７を示す図である。図６は検査データ加工（１）が実行された後の画面１７を示す図である。
【００３０】
初期状態は図３に示す画面１７である。処理前のフィルムは、例えば幅１２００ｍｍ、長さ１５０ｍである。このフィルムをスリット処理で二等分した場合、一方のフィルム上の欠陥についての編集データ（欠陥マップ、欠陥ヒストグラム等）を得るには、以下の操作をする。
【００３１】
まず、操作者はボタン２５をクリックし、画面１７上にトリミング設定ウィンドウ（図示せず）を表示させる。このウィンドウでトリミング範囲、つまり任意の領域を設定する。ここでの任意の領域は、一方のフィルムに対応する領域である。例えば、領域がフィルム幅方向６００ｍｍから１２００ｍｍ、フィルム長さ方向５ｍから１５０ｍの場合、これらの数字を入力し、確定する。これにより、図５に示すように、画面１７上で任意の領域３１を指定する（ステップＴ１）。
【００３２】
数字を入力する替わりに、シフトキーを押しながら左クリックで欠陥マップ１９上をドラッグして、任意の領域３１を指定してもよい。フィルム長さ方向５ｍ以下を削除したのは、フィルムの巻き始めの部分であるため欠陥が多く、使用できないからである。ここでは５ｍで説明したが、必ずしもこれに限らない。
【００３３】
任意の領域３１、つまりトリミング範囲を欠陥マップ１９に全画面表示するか判断される（ステップＴ３）。トリミング範囲全画面表示のチェックボックス２７にチェックが入っていないと、検査データ加工（１）は終了する。チェックが入っていると、図２のステップＳ１で読み込まれた検査データの中から任意の領域３１の検査データを抽出する（ステップＴ５）。具体的には、図２で説明した配列Ａに格納されたオリジナル欠陥情報の中から任意の領域３１のオリジナル欠陥情報を選択する。
【００３４】
選択されたオリジナル欠陥情報に関し、フィルム幅方向について、各欠陥の欠陥マップ１９上の位置を再計算し、その結果を図２で説明した配列Ｂに格納し（ステップＴ７）、そしてフィルム長さ方向について、各欠陥の欠陥マップ上の位置を再計算し、その結果を配列Ｂに格納する（ステップＴ９）。
【００３５】
ステップＴ７の再計算とは、配列Ａに格納された欠陥のフィルム幅方向の位置−幅の下限値である。一方、ステップＴ９の再計算とは、配列Ａに格納された欠陥のフィルム長さ方向の位置−長さの下限値である。例えば領域３１は、フィルム幅方向が６００ｍｍから１２００ｍｍ、フィルム長さ方向が５ｍから１５０ｍの範囲とし、ある欠陥のフィルム幅方向の位置が９８０．５ｍｍ、フィルム長さ方向の位置が１９．５ｍとする。
【００３６】
再計算された欠陥のフィルム幅方向の位置は、９８０．５ｍｍ−６００ｍｍ＝３８０．５ｍｍであり、フィルム長さ方向の位置は、１９．５ｍ−５ｍ＝１４．５ｍとなる。なお、幅や長さの下限値としたのは、領域は任意にとれるので、例えば、図７に示すような領域３３では、符号Ａで示す部分が幅の下限値となり、符号Ｂで示す部分が長さの下限値となる。
【００３７】
ステップＴ９後、図６に示すように、検査データ加工（１）で加工された検査データを編集したものである欠陥マップ１９、欠陥ヒストグラム２１が画面１７に表示される（ステップＴ１１）。図６の画面１７では、欠陥マップ１９に領域３１が全画面表示され、領域３１上の欠陥についての欠陥ヒストグラム２１が表示されている。なお、画面１７に表示する替わりに、画面１７に表示する内容を紙で出力してもよい。
【００３８】
以上のように、検査データ加工（１）によれば、検査データをより利便性の高いものに加工することにより、スリット処理後のフィルムについても、フィルム上の欠陥の位置や分布を容易に把握することができる。また、フィルムとして利用しない部分（ここではフィルム長さ０〜５ｍの部分）の欠陥については加工により削除されているので、より正確な編集データを得ることができる。
【００３９】
任意の領域３１を欠陥マップ１９上に全画面表示させているが、必ずしもこれに限定されない。例えば、図５において、任意の領域３１を指定し、欠陥マップ１９はこのままで、任意の領域３１上に存在する欠陥について、欠陥ヒストグラム２１を作成するようにしてもよい。
【００４０】
なお、複数の任意の領域を画面上で設定することもできる。例えば、任意の領域を四つ設定した場合、各領域と対応するタブ２３をクリックすると、その領域に関する画面に切り替わる。
【００４１】
任意の領域の形状は自由に設定でき、例えば、図８に示すように、領域３５が円状でもよい。
【００４２】
次に、検査データ加工（２）について説明する。検査データ加工（２）は、フィルムが巻かれた状態の種類に応じて、欠陥のフィルム上の位置情報を補正して、欠陥マップや欠陥ヒストグラムを生成する。フィルムが巻かれた状態の種類には、下巻き、上巻き、反転上巻き、反転下巻きがあり、まず、これらについて説明する。
【００４３】
図９は図１の巻取機７で巻き取られたフィルム３を示す図であり、図１０はこのフィルム３の欠陥マップ１９を示す図である。巻取機７において、例えば幅１２００ｍｍ、長さ１５０ｍのフィルム３がコア３７をフィルム３の上にして巻き取られ、欠陥マップ１９の座標（１０００ｍｍ，１４９ｍ）で示す欠陥３９がフィルム３上に存在したとする。これはフィルム３の検査時における欠陥のフィルム上の位置情報であり、検査データに含まれている。図９に示すフィルム３を「下巻き」と称する。
【００４４】
図１１（ａ）の「下巻き」のフィルム３を巻き出すと、フィルム３は図１１（ｂ）に示すように展開される。フィルム３上の欠陥３９の位置（１０００ｍｍ，１４９ｍ）は、図１０の欠陥マップ１９上に表れている欠陥の位置と対応するので、図１０に示す欠陥マップ１９をそのまま使用できる。  
【００４５】
フィルム３の表裏が逆になるように「下巻き」のフィルム３を引っ繰り返した状態が図１１（ｃ）に示す「上巻き」のフィルム３である。「上巻き」のフィルム３を巻き出すと、フィルム３は図１１（ｄ）のように展開され、欠陥３９は（２００ｍｍ，１４９ｍ）に位置している。図１１（ｂ）と比べて欠陥３９の位置が変わっている。よって、図１１（ｄ）のフィルム３上の欠陥３９の位置は、図１０の欠陥マップ１９上に表れている欠陥の位置と対応しないので、図１０に示す欠陥マップ１９を加工する必要がある。
【００４６】
図１２（ａ）に示すように、コア４１を下にして「下巻き」のフィルム３を巻き取ると、「反転上巻き」のフィルム３となる。このフィルム３を図１２（ｂ）の状態から図１２（ｃ）に示すように展開すると、欠陥３９の位置（１０００ｍｍ，１ｍ）がこれまでと異なるため、図１０に示す欠陥マップ１９を加工する必要がある。
【００４７】
図１３（ａ）に示すように、コア４１を上にして「下巻き」のフィルム３を巻き取ったものが「反転下巻き」のフィルム３である。これを図１３（ｂ）に示す状態から図１３（ｃ）に示すように展開すると、欠陥３９の位置（２００ｍｍ，１ｍ）がこれまでと異なる。これについても、図１０に示す欠陥マップ１９を加工する必要がある。
【００４８】
なお、「下巻き」の他に、「上巻き」、「反転上巻き」、「反転下巻き」があるのは、以下の理由からである。例えば、お客の装置が「下巻き」に対応せず、「上巻き」に対応していることもあり、また、フィルム上に新たに層を形成する場合、層の特性に応じて「反転上巻き」又は「反転下巻き」が選択される。
【００４９】
図１４は、検査データ加工（２）のフローチャートである。検査データ加工（２）では、「下巻き」のフィルムを基準にし、フィルムが「上巻き」、「反転上巻き」、「反転下巻き」の場合、これらに対応するように、欠陥のフィルム上の位置情報を変換する。
【００５０】
まず、操作者は、図３に示す画面１７で、「下巻き」、「上巻き」、「反転上巻き」、「反転下巻き」のアイコン２９の中からフィルムが巻かれた状態の種類に対応するアイコン２９をクリックして、画面１７上でフィルムが巻かれた状態の種類を指定する（ステップＵ１，Ｕ３，Ｕ５）。
【００５１】
「上巻き」の場合、以下のように処理される。図１１（ｄ）に示す「上巻き」の展開図を、図１１（ｂ）に示す「下巻き」の展開図と比較すれば分かるように、欠陥３９のフィルム長さＬ方向の位置は同じであるが、フィルム幅Ｗ方向の位置は異なっている。したがって、フィルム幅Ｗ方向について、各欠陥の欠陥マップ上の位置を再計算し（位置情報の変換）、その結果を図２で説明した配列Ｂに格納する（ステップＵ７）。ステップＵ７の再計算とは、フィルム幅の値−配列Ａに格納された欠陥のフィルム幅方向の位置である。ステップＵ７後、画面に欠陥マップ、欠陥ヒストグラムが表示される（ステップＵ９）。
【００５２】
「反転上巻き」の場合、次のように処理される。図１２（ｃ）の「反転上巻き」の展開図と図１１（ｂ）の「下巻き」の展開図を比較すると、欠陥３９のフィルム幅Ｗ方向の位置は変化していないが、フィルム長さＬ方向の位置は変化している。よって、フィルム長さＬ方向について、各欠陥の欠陥マップ上の位置を再計算し（位置情報の変換）、その結果を図２で説明した配列Ｂに格納する（ステップＵ１１）。ステップＵ１１の再計算とは、フィルム長さの値−配列Ａに格納された欠陥のフィルム長さ方向の位置である。ステップＵ１１後、画面に欠陥マップ、欠陥ヒストグラムが表示される（ステップＵ９）。
【００５３】
「反転下巻き」の場合、図１３（ｃ）の展開図を見れば分かるように、図１１（ｂ）の「下巻き」の場合と、欠陥３９のフィルム幅Ｗ方向、フィルム長さＬ方向のいずれも異なっている。したがって、ステップＵ１３でステップＵ７と同じ処理をし、ステップＵ１５でステップＵ１１と同じ処理をした後、画面に欠陥マップ、欠陥ヒストグラムが表示される（ステップＵ９）。
【００５４】
以上説明したように、検査データ加工（２）によれば、検査データをより利便性の高いものに加工することにより、「下巻き」のフィルムを、「上巻き」、「反転上巻き」、「反転下巻き」のフィルムにしても、欠陥マップや欠陥ヒストグラムを整合させることができ、フィルム上の欠陥の位置や分布を容易に把握できる。
【００５５】
検査データ加工（１），（２）で加工される検査データの基礎となるフィルムの画像データは、フィルムが押出機で連続成形されて巻き取られる工程で撮像して得られたものである。この工程で一般に撮像が行われる。なぜなら上記工程後、スリット処理、膜形成処理、巻き長を変える処理（例えば、全長１００ｍのフィルムを要望に応じて２０ｍに巻き直す）等、フィルムは用途に応じた処理がされるので、画像データを得る箇所を源流に統一した方が画像データの使い勝手がよいからである。
【００５６】
なお、画像データは、上記工程後に撮像されたものでもよい。例えば、フィルム上に膜を形成して多層フィルムにする工程中に撮像するのである。多層フィルムをスリット処理しても、検査データ加工（１），（２）を適用することにより、スリット処理後のフィルムについても、フィルム上の欠陥の位置や分布を容易に把握することができる。
【００５７】
次に、本実施形態に係る検査データ加工装置１５の機能ブロックの一例について、図１５を用いて説明する。検査データ加工装置１５は、記憶部５１、通信部５３、入力部５５、処理部５７及び出力部５９により構成される。
【００５８】
記憶部５１には、通信部５３を介して図１のフィルム検査装置９から送られてくる、フィルムを撮像して得られた画像データを基にしたフィルムの検査データが記憶される。また、記憶部５１には、検査データの加工や編集に必要なプログラムが記憶される。図２、図４及び図１４で説明した配列Ａや配列Ｂは、記憶部５１に含まれる。記憶部５１は、ハードディスク、メモリ等により実現される。通信部５３は、通信用ハードウェハやプログラムにより実現される。
【００５９】
入力部５５は、マウス、キーボード等により実現される。入力部５５において、フィルム上の任意の領域を画面上で指定したり、フィルムが巻かれた状態の種類を画面上で指定したりするための入力が行われる。
【００６０】
処理部５７は例えばCPUにより実現され、検査データ加工のための処理が実行される。処理部５７の領域指定部６１と抽出部６３で検査データ加工（１）の処理が実行される。領域指定部６１は、操作者の入力によりフィルム上の任意の領域を画面上に指定するものである。抽出部６３は、領域指定部６１で指定された領域の検査データを、記憶部５１に記憶された検査データの中から抽出するものである。  
【００６１】
処理部５７の巻き状態指定部６５と変換部６７で検査データ加工（２）の処理が実行される。巻き状態指定部６５は、操作者の入力によりフィルムが巻かれた状態の種類を画面上で指定するものである。変換部６７は、記憶部５１に記憶された検査データを読み出して、これに含まれるフィルムの検査時における欠陥のフィルム上の位置情報を、巻き状態指定部６５で指定された種類に対応した位置情報に変換するものである。
【００６２】
出力部５９は、画像表示部６９と紙出力部７１で構成される。画像表示部６９は、図３、図５や図６に示す画面１７が表示されるディスプレイである。画像表示部６９には、検査データ加工（１），（２）で加工された検査データを編集した編集データ（欠陥マップ、欠陥ヒストグラム等）が表示される。紙出力部７１は、画像表示部６９に表示された内容をプリントアウトするものである。画像表示部６９はLCD、CRT等により実現される。紙出力部７１はプリンタにより実現される。
【００６３】
なお、本実施形態に係る検査データ加工プログラムは、コンピュータに、図２、図４及び図１４に示す各ステップを実行させ、コンピュータを図１５に示す各ブロックとして機能させることにより、上述した本実施形態に係る検査データ加工装置や検査データ加工方法と同様の効果を得ることができる。上記プログラムは、光ディスク等のコンピュータ読み取り可能な記憶媒体に記憶して配布してもよいし、インターネット等で配信してもよい。
【００６４】
このプログラムに検査データを含めれば、検査データ加工装置がフィルム検査装置とネットワーク接続されていなくても、検査データの加工が可能である。
【図面の簡単な説明】
【００６５】
【図１】本実施形態に係るプラスチックフィルム検査及び検査データの加工についての概略を示す図である。
【図２】本実施形態に係る検査データ加工のフローチャートである。
【図３】本実施形態に係る検査データ加工装置のディスプレイに表示される画面の一例を示す図である。
【図４】本実施形態に係る検査データ加工（１）のフローチャートである。
【図５】検査データ加工（１）の実行中の画面を示す図である。
【図６】検査データ加工（１）が実行された後の画面を示す図である。
【図７】欠陥マップ上で指定された任意の領域の一例を示す図である。
【図８】欠陥マップ上で指定された任意の領域の他の例を示す図である。
【図９】図１の巻取機で巻き取られたフィルムを示す図である。
【図１０】図９のフィルムの欠陥マップを示す図である。
【図１１】フィルムが巻かれた状態の種類のうち、「下巻き」と「上巻き」について説明する図である。
【図１２】フィルムが巻かれた状態の種類のうち、「反転上巻き」について説明する図である。
【図１３】フィルムが巻かれた状態の種類のうち、「反転下巻き」について説明する図である。
【図１４】本実施形態に係る検査データ加工（２）のフローチャートである。
【図１５】本実施形態に係る検査データ加工装置の機能ブロックを示す図である。
【符号の説明】
【００６６】
１・・・押出機、３・・・プラスチックフィルム（シートの一例）、５・・・ローラ、７・・・巻取機、９・・・フィルム検査装置、１１・・・CCDカメラ、１３・・・光源、１５・・・検査データ加工装置、１７・・・画面、１９・・・欠陥マップ、２１・・・欠陥ヒストグラム、２３・・・タブ、２５・・・ボタン、２７・・・チェックボックス、２９・・・アイコン、３１，３３，３５・・・任意の領域、３７・・・コア、３９・・・欠陥、４１・・・コア、５１・・・記憶部、５３・・・通信部、５５・・・入力部、５７・・・処理部、５９・・・出力部、６１・・・領域指定部、６３・・・抽出部、６５・・・巻き状態指定部、６７・・・変換部、６９・・・画像表示部、７１・・・紙出力部
【図１】
0004829578.tif 000002
【図２】
0004829578.tif 000003
【図３】
0004829578.tif 000004
【図４】
0004829578.tif 000005
【図５】
0004829578.tif 000006
【図６】
0004829578.tif 000007
【図７】
0004829578.tif 000008
【図８】
0004829578.tif 000009
【図９】
0004829578.tif 000010
【図１０】
0004829578.tif 000011
【図１１】
0004829578.tif 000012
【図１２】
0004829578.tif 000013
【図１３】
0004829578.tif 000014
【図１４】
0004829578.tif 000015
【図１５】
0004829578.tif 000016